(57)【要約】      （修正有）【課題】使用効率が高い洗濯乾燥機用凝縮器を提供する。【解決手段】凝縮器筐体１と、凝縮器筐体内に取り付けられた凝縮器本体２と、を含み、凝縮器筐体の上端に吸気ファン３が取り付けられ、凝縮器筐体の下端に排気ファン４が取り付けられ、凝縮器筐体の内面にバッフル板５が取り付けられ、バッフル板の端部にゴムシールプレートが接着される。ゴムシールプレートは凝縮器本体と接触し、凝縮器筐体の下端に排水ホース７が取り付けられ、排水ホースの内部に内支持環が固定され、内支持環の下方に封止板が設けられる。封止板の上表面にゴムシールリングが接着され、ゴムシールリングが内支持環と接触し、内支持環の中央に位置規制杆が固定され、位置規制杆の下端が封止板を挿通すると共に圧縮バネで外嵌され、封止板の中央に位置決め突起が設けられ、位置規制杆の表面に位置決め溝が設けられ、位置決め突起が位置決め溝の内部に取り付けられる。【選択図】図１
0003229011.tif 000002
【実用新案登録請求の範囲】
【請求項１】
凝縮器筐体（１）と、前記凝縮器筐体（１）内に取り付けられた凝縮器本体（２）と、を含む洗濯乾燥機用凝縮器であって、
前記凝縮器筐体（１）の上端に吸気ファン（３）が取り付けられ、前記凝縮器筐体（１）の下端に排気ファン（４）が取り付けられ、
前記凝縮器筐体（１）の内面にバッフル板（５）が取り付けられ、前記バッフル板（５）の端部にゴムシールプレート（６）が接着され、
前記ゴムシールプレート（６）は前記凝縮器本体（２）と接触し、前記凝縮器筐体（１）の下端に排水ホース（７）が取り付けられ、
前記排水ホース（７）の内部に内支持環（８）が固定され、前記内支持環（８）の下方に封止板（９）が設けられ、
前記封止板（９）の上表面にゴムシールリング（１０）が接着され、前記ゴムシールリング（１０）が前記内支持環（８）と接触し、前記内支持環（８）の中央に位置規制杆（１１）が固定され、
前記位置規制杆（１１）の下端が封止板（９）を挿通すると共に圧縮バネ（１２）で外嵌され、前記封止板（９）の中央に位置決め突起（１３）が設けられ、
前記位置規制杆（１１）の表面に位置決め溝（１４）が設けられ、
前記位置決め突起（１３）が前記位置決め溝（１４）の内部に取り付けられることを特徴とする洗濯乾燥機用凝縮器。
【請求項２】
前記凝縮器筐体（１）の下端表面及び前記凝縮器本体（２）と水平面との傾斜角度は、いずれも５度であることを特徴とする請求項１に記載の洗濯乾燥機用凝縮器。
【請求項３】
前記吸気ファン（３）及び前記排気ファン（４）は、前記凝縮器筐体（１）の両端に対称的に設けられ、
かつ前記吸気ファン（３）及び前記排気ファン（４）がいずれも下方に吹くことを特徴とする請求項１に記載の洗濯乾燥機用凝縮器。
【請求項４】
前記凝縮器筐体（１）の内面に取り付けられた前記バッフル板（５）は、千鳥状に配置され、前記ゴムシールプレート（６）が短冊状板構造であることを特徴とする請求項１に記載の洗濯乾燥機用凝縮器。
【請求項５】
前記内支持環（８）下端の外面と前記ゴムシールリング（１０）の内面の傾斜角度に等しいことを特徴とする請求項１に記載の洗濯乾燥機用凝縮器。
【請求項６】
前記封止板（９）の中央に設けられた前記位置決め突起（１３）及び前記位置規制杆（１１）の表面に設けられた前記位置決め溝（１４）は、いずれも２個設け、
前記位置決め突起（１３）と前記位置決め溝（１４）が一対一で対応することを特徴とする請求項１に記載の洗濯乾燥機用凝縮器。
【考案の詳細な説明】
【技術分野】
【０００１】
本考案は、凝縮器技術分野に属し、特に、洗濯乾燥機用凝縮器に関する。
【背景技術】
【０００２】
洗濯乾燥機用凝縮器は、社会の発展と一般の人々の生活水準が向上するに伴い、洗濯・乾燥一体機が徐々に家庭に浸透してきた。洗濯・乾燥一体機で衣類を乾燥させた後、風や日光を当てることなく、直接取り出して着用でき、特に生活テンポの速い都市、降水量の多い沿岸都市及び多雨・多湿な季節では、利用者のニーズを満たす。従来の洗濯乾燥機用凝縮器を使用した場合、凝縮器筐体内に空気の滞留時間が短く、かつ空気が凝縮器出口から流入しやすくなるため、凝縮器の使用効率を低下させるという問題がある。
【考案の概要】
【考案が解決しようとする課題】
【０００３】
本考案は、上記背景技術において指摘された問題点を解決するため、凝縮器内に空気の滞留時間が長く、かつ凝縮器出口から空気が流入しにくく、凝縮器の使用効率が高い特徴を有する洗濯乾燥機用凝縮器を提供する。
【課題を解決するための手段】
【０００４】
本考案では、上記目的を達成するために、次の技術的手段を講じた。
洗濯乾燥機用凝縮器であって、凝縮器筐体と、凝縮器筐体内に取り付けられた凝縮器本体と、を含み、前記凝縮器筐体の上端に吸気ファンが取り付けられ、前記凝縮器筐体の下端に排気ファンが取り付けられ、前記凝縮器筐体の内面にバッフル板が取り付けられ、前記バッフル板の端部にゴムシールプレートが接着され、前記ゴムシールプレートは凝縮器本体と接触し、前記凝縮器筐体の下端に排水ホースが取り付けられ、前記排水ホースの内部に内支持環が固定され、前記内支持環の下方に封止板が設けられ、前記封止板の上表面にゴムシールリングが接着され、前記ゴムシールリングが内支持環と接触し、前記内支持環の中央に位置規制杆が固定され、前記位置規制杆の下端が封止板を挿通すると共に圧縮バネで外嵌され、前記封止板の中央に位置決め突起が設けられ、前記位置規制杆の表面に位置決め溝が設けられ、前記位置決め突起が位置決め溝の内部に取り付けられる。
【０００５】
本考案の洗濯乾燥機用凝縮器の好ましい技術的手段として、前記凝縮器筐体の下端表面及び凝縮器本体と水平面との傾斜角度は、いずれも５度である。
【０００６】
本考案の洗濯乾燥機用凝縮器の好ましい技術的手段として、前記吸気ファン及び排気ファンは凝縮器筐体の両端に対称的に設けられ、かつ前記吸気ファン及び排気ファンがいずれも下方に吹く。
【０００７】
本考案の洗濯乾燥機用凝縮器の好ましい技術的手段として、前記凝縮器筐体の内面に取り付けられたバッフル板は、千鳥状に配置され、前記ゴムシールプレートが短冊状板構造である。
【０００８】
本考案の洗濯乾燥機用凝縮器の好ましい技術的手段として、前記内支持環下端の外面とゴムシールリングの内面の傾斜角度に等しい。
【０００９】
本考案の洗濯乾燥機用凝縮器の好ましい技術的手段として、前記封止板の中央に設けられた位置決め突起及び位置規制杆の表面に設けられた位置決め溝は、いずれも２個設け、前記位置決め突起と位置決め溝が一対一で対応する。
【考案の効果】
【００１０】
従来技術と比較して本考案が備えた有利な効果は次の通りである。
凝縮器筐体の両端に取り付けられた吸気ファン及び排気ファンを介して、洗濯機内部の空気は、吸気ファンの作用下で凝縮器筐体の内部に入り、同時に凝縮器筐体内部の空気が排気ファンの作用下で排出され、凝縮器筐体の内面に設けられたバッフル板が千鳥状に配置され、バッフル板の端部に接着されたゴムシールプレートが凝縮器本体と接触し、凝縮器筐体内の空気と凝縮器本体との接触面積を増加し、水蒸気と凝縮器本体との接触時間を長くし、空気中の水蒸気が凝縮器本体の内部で液化することを容易にし、また排水ホース内に取り付けられた内支持環、封止板及びゴムシールリングが位置規制杆と圧縮バネの作用下でシールし、封止板の中央に設けられた位置決め突起は位置規制杆の表面に設けられた位置決め溝内に取り付けられることで、排水ホース下端の空気が凝縮器筐体の内部に還流することを防ぐと共に、凝縮器筐体内の液体が一定の高さに達した時に外部に排出されることを容易にする。
【００１１】
添付の図面は、本考案のさらなる理解を助けることを意図し、明細書の一部を構成しており、本考案の実施例とともに、本考案を説明するために使用され、本考案の範囲を如何様にも限定することを意図しない。
【図面の簡単な説明】
【００１２】
【図１】本考案の構造を示す図である。
【図２】本考案における凝縮器の筐体・本体及び排水ホースの構造を示す図である。
【図３】本考案における凝縮器の筐体・本体、排気ファン、バッフル板、ゴムシールプレート及び排水ホースの構造を示す図である。
【図４】図２内の部位Ａの拡大図である。
【図５】本考案における位置規制杆の立体図である。
【考案を実施するための形態】
【００１３】
以下、図面を参照して、本考案の実施例中の技術的手段を詳細に説明するが、説明する実施例は本考案の一部の実施例であり、全ての実施例でないことは言うまでもない。本考案中の実施例に基づいて、当業者は創造性の活動をしない前提で得られた全ての他の実施例は、いずれも本考案の保護範囲に属する。
【００１４】
図１乃至図５を参照すると、本考案によって提供される洗濯乾燥機用凝縮器は、凝縮器筐体１と、凝縮器筐体１内に取り付けられた凝縮器本体２と、を含み、凝縮器筐体１の上端に吸気ファン３が取り付けられ、凝縮器筐体１の下端に排気ファン４が取り付けられ、凝縮器筐体１の内面にバッフル板５が取り付けられ、バッフル板５の端部にゴムシールプレート６が接着され、ゴムシールプレート６は凝縮器本体２と接触し、凝縮器筐体１の下端に排水ホース７が取り付けられ、排水ホース７の内部に内支持環８が固定され、内支持環８の下方に封止板９が設けられ、封止板９の上表面にゴムシールリング１０が接着され、ゴムシールリング１０が内支持環８と接触し、内支持環８の中央に位置規制杆１１が固定され、位置規制杆１１の下端が封止板９を挿通すると共に圧縮バネ１２で外嵌され、封止板９の中央に位置決め突起１３が設けられ、位置規制杆１１の表面に位置決め溝１４が設けられ、位置決め突起１３が位置決め溝１４の内部に取り付けられる。
【００１５】
本実施形態において、凝縮器筐体１の両端に取り付けられた吸気ファン３及び排気ファン４を介して、洗濯機内部の空気は、吸気ファン３の作用下で凝縮器筐体１の内部に入り、同時に凝縮器筐体１内部の空気が排気ファン４の作用下で排出され、凝縮器筐体１の内面に設けられたバッフル板５が千鳥状に配置され、バッフル板５の端部に接着されたゴムシールプレート６が凝縮器本体２と接触し、凝縮器筐体１内の空気と凝縮器本体２との接触面積を増加し、水蒸気と凝縮器本体２との接触時間を長くし、空気中の水蒸気が凝縮器本体２の内部で液化することを容易にし、また排水ホース７内に取り付けられた内支持環８、封止板９及びゴムシールリング１０が位置規制杆１１と圧縮バネ１２の作用下でシールし、封止板９の中央に設けられた位置決め突起１３は位置規制杆１１の表面に設けられた位置決め溝１４内に取り付けられることで、排水ホース７下端の空気が凝縮器筐体１の内部に還流することを防ぐと共に、凝縮器筐体１内の液体が一定の高さに達した時に外部に排出されることを容易にする。
【００１６】
具体的に、凝縮器筐体１の下端表面及び凝縮器本体２と水平面との傾斜角度は、いずれも５度である。
【００１７】
本実施例において、凝縮器本体２の表面で液化した水が下向きに流れることを容易にする。
【００１８】
具体的に、吸気ファン３及び排気ファン４は凝縮器筐体１の両端に対称的に設けられ、かつ吸気ファン３及び排気ファン４がいずれも下方に吹く。
【００１９】
本実施例において、空気が凝縮器筐体１の内部を流動するのを容易にする。
【００２０】
具体的に、凝縮器筐体１の内面に取り付けられたバッフル板５は、千鳥状に配置され、ゴムシールプレート６が短冊状板構造である。
【００２１】
本実施例において、バッフル板５により凝縮器筐体１の内部空洞の方向転換を容易にし、空気が凝縮器筐体１の内部に滞留する時間を長くさせる。
【００２２】
具体的に、内支持環８下端の外面とゴムシールリング１０の内面の傾斜角度に等しい。
【００２３】
本実施例において、内支持環８と封止板９とは、ゴムシールリング１０を通じてシールされることを容易にする。
【００２４】
具体的に、封止板９の中央に設けられた位置決め突起１３及び位置規制杆１１の表面に設けられた位置決め溝１４は、いずれも２個設け、位置決め突起１３と位置決め溝１４が一対一で対応する。
【００２５】
本実施例において、封止板９移動の安定性が高められている。
【００２６】
本考案の動作原理及び使用プロセス
使用時、吸気ファン３の上端を洗濯機の内槽に接続し、衣類が脱水された場合は、凝縮器本体２、吸気ファン３及び排気ファン４を外部電源に接続し、この時洗濯機内部の空気は吸気ファン３の作用下で凝縮器筐体１の内部に入り、かつ凝縮器筐体１内部の空気が排気ファン４の作用下で排出され、また空気が凝縮器筐体１の内部で流動する時バッフル板５によって案内され、空気と凝縮器本体２とを十分に接触させ、空気中の水蒸気が冷えて液化し、排水ホース７の内部に流れ込む。液体がある程度の重量になると、封止板９により位置規制杆１１を外嵌する圧縮バネ１２を圧縮し、同時に封止板９の中央に設けられた位置決め突起１３は、位置規制杆１１の表面に設けられた位置決め溝１４内で移動して、排水ホース７内部の液体を外部に排出させる。
【００２７】
なお、本考案では、好ましい実施例を前述の通り開示したが、これらは決して本考案に限定するものではなく、当業者であれば、前記各実施例に記載の技術的手段に対して修正又はその一部の技術的特徴に対して均等範囲内での置換を行うことができる。本考案の精神と原理を脱しない当業者により修正、均等範囲での置換、改善される場合も本考案の保護範囲に含まれる。
【符号の説明】
【００２８】
１０          ゴムシールリング
１            凝縮器筐体
１１          位置規制杆
１２          圧縮バネ
１３          位置決め突起
１４          位置決め溝
２            凝縮器本体
３            吸気ファン
４            排気ファン
５            バッフル板
６            ゴムシールプレート
７            排水ホース
８            内支持環
９            封止板
【図１】
0003229011.tif 000003
【図２】
0003229011.tif 000004
【図３】
0003229011.tif 000005
【図４】
0003229011.tif 000006
【図５】
0003229011.tif 000007